(57)【要約】【課題】ズームレンズ群とフォーカスレンズ群の基準位置を共通の基準位置検出手段で行う。【解決手段】先ずズームモータが回転を始め（Ｓ１）、変倍移動枠２はガイドバー７、８に沿って像面方向に移動する（Ｓ２）。遮光部２ｃがフォトインタラプタ１０の検出端部により形成された開口部１０ｃに進入すると、投光素子の光束が遮光される（Ｓ３）。これに応じて、ＣＰＵはステップ数を計数しながらズームモータを駆動し、変倍移動枠２を初期リセット位置まで移動させる（Ｓ４）。次に、フォーカスモータが回転し合焦移動枠４が前玉鏡筒１の方向に向けて移動され（Ｓ５）、遮光部４ｃがフォトインタラプタ１０の開口部１０ｃに進入して投光素子の光束を遮ぎる（Ｓ６）。これに応じてＣＰＵはステップ数を計数しながらフォーカス駆動源のフォーカスモータを駆動し、合焦移動枠４を初期リセット位置まで移動させる（Ｓ７）。【選択図】図７
2008164681.tif 000002
【特許請求の範囲】
【請求項１】
第１の移動レンズ群と、該第１の移動レンズ群を光軸に対して平行方向に移動させるための第１の駆動手段と、第２の移動レンズ群と、該第２の移動レンズ群を光軸に対して平行方向に移動させるための第２の駆動手段と、前記第１、第２の移動レンズ群をそれぞれ保持し、前記第１、第２の移動レンズ群の移動を案内するための案内手段と、前記第１、第２の移動レンズ群の基準位置を検出する１個の基準位置検出手段とを有するレンズ鏡筒において、前記基準位置検出手段は投光素子と受光素子を有し、前記第１、第２の移動レンズ群はそれぞれ前記案内手段に係合するスリーブと、前記基準位置検出手段の前記投光素子と受光素子により前記基準位置を検出するための遮光部とを有し、前記第１、第２のレンズ群はそれぞれが有する前記遮光部を互いに干渉させることなく光軸方向に移動可能としたことを特徴とするレンズ鏡筒。
【請求項２】
第１の移動レンズ群と、該第１の移動レンズ群を光軸に対して平行方向に移動させるための第１の駆動手段と、第２の移動レンズ群と、該第２の移動レンズ群を光軸に対して平行方向に移動させるための第２の駆動手段と、前記第１、第２の移動レンズ群をそれぞれ保持し、前記第１、第２の移動レンズ群の移動を案内するための案内手段と、前記第１、第２の移動レンズ群の基準位置を検出する１個の基準位置検出手段とを有するレンズ鏡筒において、前記基準位置検出手段は投光素子と受光素子を有し、前記第１、第２の移動レンズ群はそれぞれ前記案内手段に係合するスリーブと、前記基準位置検出手段が前記基準位置を検出するための遮光部とを有し、前記光軸と直交する平面内において、前記基準位置検出手段は、光軸方向の位置ずれに対する像面の位置ずれ量の比であるピント敏感度が小さい方の前記移動レンズ群のスリーブよりも前記ピント敏感度が大きい方の前記移動レンズ群のスリーブに近い位置に配置したことを特徴とするレンズ鏡筒。
【請求項３】
前記光軸と直交する平面内において、光軸を通る水平線分と鉛直線分とにより４つの象限に区分するとき、前記第１の移動レンズ群が有する前記スリーブと、前記第２の移動レンズ群が有する前記スリーブとは互いに異なる象限内に配置したことを特徴とする請求項２に記載のレンズ鏡筒。
【請求項４】
物体側からの光量を調節する光量調節手段を有し、前記基準位置検出手段は前記光量調節手段よりも像面側に配置することを特徴とする請求項１又は２に記載のレンズ鏡筒。
【請求項５】
前記第１の移動レンズ群が有する前記スリーブと光軸を結ぶ水平線分に対して、前記基準位置検出手段は前記第１の駆動手段を配置した象限と対向する象限に配置したことを特徴とする請求項１又は２に記載のレンズ鏡筒。
【請求項６】
請求項１〜５の何れか１項に記載のレンズ鏡筒を備えた光学機器。
【発明の詳細な説明】
【技術分野】
【０００１】
本発明は、移動レンズ群の基準位置を検出し得るレンズ鏡筒に関するものである。
【背景技術】
【０００２】
従来、スチルカメラ用レンズ鏡筒やビデオカメラ用レンズ鏡筒として、レンズ鏡筒内のズームレンズ群とフォーカスレンズ群をステッピングモータ等の駆動手段により駆動する型式のものが知られている。
【０００３】
一般に、移動レンズ群をステッピングモータ等により駆動する場合は、レンズ群の駆動及び位置決めのための制御方式としてオープンループ制御方式が採用されることが多い。このオープンループ制御方式の場合は、移動レンズ群の時々刻々の位置を検出するための検出装置が不要であり、また制御系の構成がクローズドループ制御方式の制御系に比べて、簡単かつ小型になる利点がある。
【０００４】
しかし、ステッピングモータを使用するオープンループ制御方式によって、移動レンズ群の位置決め制御を行う場合には、駆動開始位置と移動レンズ群の駆動開始位置とを一致させるために、位置決め制御開始前に移動レンズ群を基準位置に戻さなければならない。従って、移動レンズ群が基準位置であるリセット位置に位置決めされたか否かを検出するための基準位置検出手段が、各移動レンズ群に対して必要となる。更に、精度の良い基準位置の検出を行うためには、後述する基準位置検出手段の開口部内に挿入する遮光部を、がたの少ないレンズ鏡筒に設けたスリーブの周辺に配置することが理想的である。
【０００５】
また、特許文献１では、レンズ鏡筒の小型化を目的として、ズームレンズ群とフォーカスレンズ群のそれぞれの基準位置の検出を１つの基準位置検出手段で共有する構成が提案されている。
【０００６】
【特許文献１】特開２００２−３４１２２６号公報
【発明の開示】
【発明が解決しようとする課題】
【０００７】
特許文献１のような複数の移動レンズ群がガイドバーを共有する構成を成すレンズ鏡筒において、移動レンズ群の光軸方向の移動量が多い、つまり変倍率が高い場合がある。このときは各移動レンズ群が互いに干渉しない領域と、ガイドバーを挿通するための機構上必要なスリーブ長を確保する必要がある。
【０００８】
しかし、各移動レンズ群のスリーブの周辺に遮光部及び基準位置検出手段を配置すると、レンズ鏡筒の全長が長くなり、レンズ鏡筒全体の小型化が妨げられる。一方、レンズ鏡筒の大型化を避けるために、スリーブから離れた位置に基準位置検出手段及び遮光部を配置すると、スリーブのがたに対する遮光部の位置ずれが大きくなり、移動レンズ群の基準位置検出精度が悪くなる。
【０００９】
本発明の目的は、上述の問題点を解消し、ズームレンズ群とフォーカスレンズ群の基準位置検出手段を共有し、基準位置検出精度が高く大型化することのないレンズ鏡筒を提供することにある。
【課題を解決するための手段】
【００１０】
上記目的を達成するための本発明に係るレンズ鏡筒の技術的特徴は、第１の移動レンズ群と、該第１の移動レンズ群を光軸に対して平行方向に移動させるための第１の駆動手段と、第２の移動レンズ群と、該第２の移動レンズ群を光軸に対して平行方向に移動させるための第２の駆動手段と、前記第１、第２の移動レンズ群をそれぞれ保持し、前記第１、第２の移動レンズ群の移動を案内するための案内手段と、前記第１、第２の移動レンズ群の基準位置を検出する１個の基準位置検出手段とを有するレンズ鏡筒において、前記基準位置検出手段は投光素子と受光素子を有し、前記第１、第２の移動レンズ群はそれぞれ前記案内手段に係合するスリーブと、前記基準位置検出手段の前記投光素子と受光素子により前記基準位置を検出するための遮光部とを有し、前記第１、第２のレンズ群はそれぞれが有する前記遮光部を互いに干渉させることなく光軸方向に移動可能としたことにある。
【００１１】
また、本願発明に係るレンズ鏡筒の技術的特徴は、第１の移動レンズ群と、該第１の移動レンズ群を光軸に対して平行方向に移動させるための第１の駆動手段と、第２の移動レンズ群と、該第２の移動レンズ群を光軸に対して平行方向に移動させるための第２の駆動手段と、前記第１、第２の移動レンズ群をそれぞれ保持し、前記第１、第２の移動レンズ群の移動を案内するための案内手段と、前記第１、第２の移動レンズ群の基準位置を検出する１個の基準位置検出手段とを有するレンズ鏡筒において、前記基準位置検出手段は投光素子と受光素子を有し、前記第１、第２の移動レンズ群はそれぞれ前記案内手段に係合するスリーブと、前記基準位置検出手段が前記基準位置を検出するための遮光部とを有し、前記光軸と直交する平面内において、前記基準位置検出手段は、光軸方向の位置ずれに対する像面の位置ずれ量の比であるピント敏感度が小さい方の前記移動レンズ群のスリーブよりも前記ピント敏感度が大きい方の前記移動レンズ群のスリーブに近い位置に配置したことにある。
【発明の効果】
【００１２】
本発明に係るレンズ鏡筒によれば、ズームレンズ群とフォーカスレンズ群の基準位置検出手段を共有し、大型化することなく基準位置検出精度も高くすることができる。
【発明を実施するための最良の形態】
【００１３】
本発明を図示の実施例に基づいて詳細に説明する。
【実施例１】
【００１４】
図１は凸凹凸凸の４群構成レンズ群の変倍光学系を有するレンズ鏡筒の分解斜視図、図２は縦断面図、図３、図４はそれぞれレンズ鏡筒の内部構成を像面側から見た斜視図である。
【００１５】
レンズ鏡筒の光軸方向に、固定の第１レンズ群Ｌ１、光軸方向に移動することにより変倍動作を行う第２レンズ群Ｌ２、固定の第３レンズ群Ｌ３、光軸方向に移動することにより合焦動作を行う第４レンズ群Ｌ４が配列されている。また、これらの第１レンズ群Ｌ１、第２レンズ群Ｌ２、第３レンズ群Ｌ３、第４レンズ群Ｌ４は、それぞれ前玉鏡筒１、変倍移動枠２、３群鏡筒３、合焦移動枠４により保持されている。
【００１６】
ここで、第２レンズ群Ｌ２と変倍移動枠２は一体となって、一方の移動レンズ群が構成され、第４レンズ群Ｌ４と合焦移動枠４が一体となって、他方の移動レンズ群が構成されている。また、変倍移動枠２、３群鏡筒３、合焦移動枠４の周囲及び前玉鏡筒１の上部にＣＣＤホルダ５が配置され、このＣＣＤホルダ５にはＣＣＤ等から成る撮像素子６が固定されている。ＣＣＤホルダ５は前玉鏡筒１に対し、２本のビス５ａ、５ｂにより後方から結合されている。
【００１７】
前玉鏡筒１とＣＣＤホルダ５により、案内手段であるガイドバー７、８の両端が保持され、変倍移動枠２及び合焦移動枠４はガイドバー７、８により光軸方向に摺動可能に係合されている。変倍移動枠２には、特定の長さを有するスリーブ２ａ、Ｕ溝部２ｂ、板体状の遮光部２ｃが形成されており、合焦移動枠４には特定の長さを有するスリーブ４ａ、Ｕ溝部４ｂ、遮光部４ｃが形成されている。変倍移動枠２及び合焦移動枠４は何れか一方のガイドバーに対して光軸方向にスリーブ２ａ、４ａを介して嵌合している。そのため、光軸方向への倒れが防止され、他方のガイドバーがＵ溝部２ｂ、４ｂに係合することにより回転が防止されている。なお、変倍移動枠２においては、遮光部２ｃはスリーブ２ａに一体に形成されており、合焦移動枠４においては遮光部４ｃはＵ溝部４ｂ側に設けられている。
【００１８】
ＣＣＤホルダ５の一部に設けた開口部５ｃに、２枚の羽根を逆方向に移動させて光学系の開口径を変化させるギロチン式の光量調節部９が組み込まれている。この光量調節部９は変倍移動枠２と３群鏡筒３の間に配置され、光量調節部９は２枚の羽根の他に、入射した光束を制限するための固定壁から成る固定絞り９ａを有している。
【００１９】
光量調節部９には、基準位置検出手段であるフォトインタラプタ１０が取り付けられる。このフォトインタラプタ１０は検出端部１０ａと検出端部１０ｂとの間に形成された開口部１０ｃを有するコの字型形状とされ、検出端部１０ａの内側面には受光素子が、検出端部１０ｂの内側面には投光素子が取り付けられている。フォトインタラプタ１０はＣＣＤホルダ５に設けられた開口部５ｃから圧入固定された後に、光量調節部９に設けられた押さえ部９ｂにより押さえられ、衝撃等により開口部５ｃから抜け出ることのないように固定されている。
【００２０】
また、投光素子と受光素子は電気配線を通して電気回路基盤上の制御部に電気的に接続されている。受光素子は投光素子からの入射される光束以外の光線を受光し、誤作動を起こす虞れがあるので、本実施例ではフォトインタラプタ１０は光量調節部９の固定絞り部９ａよりも像面側に配置され、物体側から入射する光線の影響を低減している。
【００２１】
フレキシブルプリント（ＦＰＣ）１１は組付前から光量調節部９に半田付けにより取り付けられており、光量調節部９と同時に組み込まれた後に、先に組み込まれているフォトインタラプタ１０や後述するステッピングモータに半田付けされる。
【００２２】
第２レンズ群Ｌ２を備えた変倍移動枠２は、ステッピングモータから成るズームモータ１２により光軸方向に駆動され変倍動作を行う。また、第４レンズ群Ｌ４を備えた合焦移動枠４は、ステッピングモータから成るフォーカスモータ１３により光軸方向に駆動され合焦動作を行う。ズームモータ１２及びフォーカスモータ１３は、それぞれ２個ずつのビス１２ａ及び１３ａにより前玉鏡筒１に固定されている。
【００２３】
ズームモータ１２、フォーカスモータ１３は回転軸としてリードスクリュ１２ｂ、１３ｂを有し、リードスクリュ１２ｂ、１３ｂはズームモータ１２、フォーカスモータ１３が前玉鏡筒１に組み込まれた状態において、光軸と平行方向に配置されている。リードスクリュ１２ｂ、１３ｂにそれぞれ螺合するラック２ｄ、４ｄは、それぞれ移動枠２、４の連結部２ｅ、４ｅに、光軸と直交する直交方向に揺動自在に取り付けられている。また、ラック２ｄ、４ｄはその先端が二股状に形成されていて、メイン歯、対向歯、加圧歯を備えており、メイン歯はリードスクリュ１２ｂ、１３ｂの送りねじに螺合するようにされている。これらのリードスクリュ１２ｂ、１３ｂの回転により、ラック２ｄ、４ｄを介して変倍移動枠２及び合焦移動枠４が光軸方向に駆動される。
【００２４】
図５はフォトインタラプタ１０と、変倍移動枠２の遮光部２ｃ及び合焦移動枠４の遮光部４ｃの配置関係の説明図である。像面側から前玉鏡筒１、変倍移動枠２、合焦移動枠４、ガイドバー７、８、フォトインタラプタ１０、ズームモータ１２、フォーカスモータ１３が配置されている。
【００２５】
この図５に示すように、変倍移動枠２及び合焦移動枠４のスリーブ２ａ、４ａと光軸を結ぶ水平線分Ｘと、この水平線分Ｘに垂直な鉛直線分Ｙにより４分割に区分された第１〜第４象限の領域を（Ａ）〜（Ｄ）とする。本実施例では、フォトインタラプタ１０は象限（Ａ）、変倍移動枠２のスリーブ２ａは象限（Ａ＋Ｄ）、合焦移動枠４のスリーブ４ａは象限（Ｂ＋Ｃ）、遮光部２ｃ及び遮光部４ｃは象限（Ａ）に配置されている。
【００２６】
前述したように変倍移動枠２に設けられた遮光部２ｃはスリーブ２ａと一体に形成されており、フォトインタラプタ１０と同様に象限（Ａ）に配置されている。一方、合焦移動枠４に設けられた遮光部４ｃは、遮光部２ｃと同様に象限（Ａ）に配置されているが、スリーブ４ａは光軸に対して反対側の象限（Ｂ＋Ｃ）に配置されている。
【００２７】
このように、フォトインタラプタ１０は変倍移動枠２及び合焦移動枠４に設けられた遮光部２ｃ、４ｃの光軸方向への移動による遮光／透光状態の切換わりを電気的に検出することで、第２レンズ群Ｌ２及び第４レンズ群Ｌ４の基準位置を決定する。この原理によると、仮に変倍移動枠２や合焦移動枠４が持つがたにより、遮光部２ｃ、４ｃの位置がずれると、設計値で定めた基準位置からのずれが生じ、検出精度の悪化が懸念される。
【００２８】
第２、第４レンズ群Ｌ２、Ｌ４の光軸方向の位置が、単位長さ、例えば距離１ｍｍ動いたときに対する結像面の変位量の割合をピント敏感度と定義すると、本実施例の光学系では第４レンズ群Ｌ４に対して第２レンズ群Ｌ２の方がピント敏感度が高い。つまり、移動レンズ群Ｌ２、４Ｌの光軸方向の位置ずれが及ぼす像面ずれへの影響は、ピント敏感度の高い第２レンズ群Ｌ２の方が大きい。
【００２９】
そこで本実施例では、遮光部２ｃを変倍移動枠２のスリーブ２ａと一体に形成し、スリーブ２ａとガイドバー７間のがたが遮光部２ｃの位置ずれに及ぼす影響を低減している。このように、光軸方向の位置ずれに対する像面の位置ずれ量の比であるピント敏感度の高い方の移動レンズ群の遮光部を、優先的に移動レンズ枠のスリーブの周辺に配置することにより、遮光部の位置ずれを低減できる。
【００３０】
つまり、光軸と直交する平面内において、基準位置検出手段であるフォトインタラプタ１０は、ピント敏感度が小さい方の第４レンズ群Ｌ４のスリーブ４ａよりもピント敏感度が大きい方の第２レンズ群Ｌ２（フォーカスレンズ群）のスリーブ２ａに近い位置に配置されている。
【００３１】
このようにして、フォトインタラプタ１０の投光素子の光束を遮ぎるときの遮光部の位置ずれの影響を最小限に抑えることができ、像面の位置ずれを少なくすることができる。
【００３２】
図５において、ズームモータ１２は象限（Ｄ）に配置されており、光軸とスリーブ２ａを結ぶ水平線分Ｘに対してフォトインタラプタ１０と対向する象限範囲内に配置されている。ズームモータ１２のリードスクリュ１２ｂには変倍移動枠２のスリーブ２ａに組み込まれたラック２ｄが螺合されている。従って、スリーブ２ａの周辺にフォトインタラプタ１０を配置するために、同じ象限（Ｄ）内に配置しようとすると、レンズ鏡筒の径の大型化を招く。
【００３３】
スリーブ２ａの周辺又はスリーブ２ａと一体的に遮光部２ｃ及びフォトインタラプタ１０を配置するためには、スリーブ２ａと光軸を結ぶ水平線分Ｘに対して、フォトインタラプタ１０を象限（Ｄ）の対向位置にある象限（Ａ）の範囲内に配置することが好ましい。
【００３４】
従って、本実施例に示すような配置構成とすることで、遮光部２ｃ、４ｃは相互に干渉することなく、インタラプタ１０による基準位置検出精度を低下させることはない。また、ズームモータ１２とスリーブ２ａ、またスリーブ２ａ、遮光部２ｃとフォトインタラプタ１０の配置関係を最小限に抑えることができ、レンズ鏡筒の小径化に寄与できる。
【００３５】
図６は本実施例におけるカメラに代表される光学機器のブロック回路構成図を示している。レンズ群Ｌ１〜Ｌ４を通る入射光を受光する撮像素子６の出力は、カメラ信号処理回路３１に接続されている。カメラ信号処理回路３１の出力のＹ信号は、ＡＥゲート３２、ＡＦゲート３３に接続されている。ＡＥゲート３２の出力はＣＰＵ３４に接続され、ＡＦゲート３３の出力はＡＦ信号処理回路３５を介してＣＰＵ３４に接続されている。
【００３６】
ＣＰＵ３４には、第２レンズ群Ｌ２の光軸方向位置を検出するズームエンコーダ３６、光量調節部９の開口径を検出する絞りエンコーダ３７、第４レンズ群Ｌ４の光軸方向位置を検出するフォーカスエンコーダ３８の出力が接続されている。更にＣＰＵ３４には、フォトインタラプタ１０、ズームスイッチ３９、ズームトラッキングメモリ４０の出力が接続されている。
【００３７】
ＣＰＵ３４の出力はズーム駆動源４１、絞り駆動源４２、フォーカス駆動源４３に接続されている。ズーム駆動源４１は第２レンズ群Ｌ２を駆動するズームモータ１２、リードスクリュ１２ｂ等を含み、フォーカス駆動源４３は第４レンズ群Ｌ４を駆動するフォーカスモータ１３、リードスクリュ１３ｂ等を含んでいる。
【００３８】
カメラ信号処理回路３１は撮像素子６の出力に対して特定の増幅やガンマ補正などを施す。これらの特定の処理を受けた映像信号のコントラスト信号はＡＥゲート３２、ＡＦゲート３３を通過する。ＡＦ（オートフォーカス）のためのＡＦ信号処理回路３５は、映像信号の高周波成分に関する１つ又は複数の出力を生成する。ズームスイッチ３９、ズームトラッキングメモリ４０は変倍に際して被写体距離と第２レンズ群Ｌ２位置に応じてとるべきフォーカシングレンズ位置の情報を記憶する。なお、ズームトラッキングメモリ４０としてはＣＰＵ３４内のメモリを使用してもよい。
【００３９】
例えば、撮影者によりズームスイッチ３９が操作されると、ＣＰＵ３４はズームトラッキングメモリ４０の情報を基に算出した第２レンズ群Ｌ２と第４レンズ群Ｌ４の特定の位置関係が保たれるように駆動制御する。即ち、ズームエンコーダ３６の検出結果から得られる第２レンズ群Ｌ２の光軸方向絶対位置と算出された位置とが一致するように、ズーム駆動源４１とフォーカス駆動源４３を駆動制御する。同様に、フォーカスエンコーダ３８の検出結果より得られる第４レンズ群Ｌ４の光軸方向絶対位置と算出された位置が一致するように、ズーム駆動源４１とフォーカス駆動源４３を駆動制御する。
【００４０】
また、オートフォーカス動作ではＡＦ信号処理回路３５の出力がピークを示すように、ＣＰＵ３４はフォーカス駆動源４３により第４レンズ群Ｌ４を駆動制御する。
【００４１】
更に、適正露出を得るために、ＣＰＵ３４はＡＥゲート３２を通過したＹ信号の出力の平均値の特定値及び絞りエンコーダ３７の出力特定値となるように、絞り駆動源４２を駆動制御して光量調節部９の開口径を制御する。
【００４２】
なお、ズーム駆動源４１及びフォーカス駆動源４３としては、実施例のようにステッピングモータに限らず、ＤＣモータや振動型モータを用いることもできる。また、第２、第４レンズ群Ｌ２、Ｌ４の位置を検出するためには、エンコーダ以外の検出方式を採用してもよい。
【００４３】
本実施例のように、駆動源としてステッピングモータを用いる場合には、或る基準位置にレンズ移動枠を配置してから、ステッピングモータに入力する動作パルス数を連続して計数する方法が一般的である。
【００４４】
絞りエンコーダ３７はレンズ鏡筒外に配置された絞り駆動源であるメータ内部にホール素子を配置し、ロータとステータの回転位置関係を検出する方式のものなどが使用できる。絞り駆動源４２により２枚の絞り羽根が駆動され光量調節を行う。また絞り羽根には、小絞り回折による画質劣化を防止するため、ＮＤフィルタが貼り付けられている。或いは、このＮＤフィルタを別の駆動源により駆動するものが知られている。
【００４５】
また上記の実施例では、第２レンズ群Ｌ２を駆動するズーム駆動源４１、第４レンズ群Ｌ４を駆動するフォーカス駆動源４３の何れか一方又は双方は、例えばＶＣＭなどの他の駆動手段により構成しても支障はない。
【００４６】
また、本実施例では光量調節部９の固定壁を固定絞り９ａと説明したが、例えば３群鏡筒３が有するフランジなどの固定壁のように、物体側から入射する光線の光束を制限するものであればよい。
【００４７】
図７は上述の構成を有する本実施例のレンズ鏡筒をカメラに装着し、カメラによって移動レンズ群の基準位置を検出した後に、撮影を行う場合についての動作フローチャート図である。なお本実施例では、最初に第２レンズ群Ｌ２の基準位置を検出した後に、第４レンズ群Ｌ４の基準位置を検出する。
【００４８】
電源スイッチがＯＮになると、先ずズームモータ１２が回転を始め（ステップＳ１）、リードスクリュ１２ｂの回転により変倍移動枠２はガイドバー７、８に沿って像面方向に移動する（ステップＳ２）。そして、遮光部２ｃがフォトインタラプタ１０の検出端部１０ａと検出端部１０ｂにより形成された開口部１０ｃに進入すると、投光素子の光束が遮光部２ｃによって遮光される（ステップＳ３）。
【００４９】
ここで、スイッチがＯＮとなり、これに応じてＣＰＵ３４はステップ数を計数しながらズームモータ１２を駆動し、変倍移動枠２を初期リセット位置まで移動させる（ステップＳ４）。次に、フォーカスモータ１３が回転し、合焦移動枠４が前玉鏡筒１の方向に向けて移動され（ステップＳ５）、遮光部４ｃがフォトインタラプタ１０の開口部１０ｃに進入して、投光素子の光束を遮ぎるとスイッチがＯＮになる（ステップＳ６）。これに応じてＣＰＵ３４はステップ数を計数しながらフォーカスモータ１３を駆動し、合焦移動枠４を初期リセット位置まで移動させる（ステップＳ７）。
【産業上の利用可能性】
【００５０】
上述のレンズ鏡筒は、例えば３５ｍｍフィルムカメラやデジタルスチルカメラ、またデジタルビデオカメラ等の光学機器に使用できる。
【図面の簡単な説明】
【００５１】
【図１】実施例のレンズ鏡筒の分解斜視図である。
【図２】縦断面図である。
【図３】レンズ鏡筒の内部構成を像面側から見た斜視図である。
【図４】レンズ鏡筒の内部構成を像面側から見た斜視図である。
【図５】レンズ鏡筒を像面側から見た配置関係の説明図である。
【図６】光学機器のブロック回路構成図である。
【図７】動作フローチャート図である。
【符号の説明】
【００５２】
Ｌ１  第１レンズ群
Ｌ２  第２レンズ群
Ｌ３  第３レンズ群
Ｌ４  第４レンズ群
１  前玉鏡筒
２  変倍移動枠
３  ３群鏡筒
４  合焦移動枠
５  ＣＣＤホルダ
６  撮像素子
７、８  ガイドバー
９  光量調節部
１０  フォトインタラプタ
１２  ズームモータ
１３  フォーカスモータ
３４  ＣＰＵ
３６  ズームエンコーダ
３７  絞りエンコーダ
３８  フォーカスエンコーダ
【図２】
2008164681.tif 000003
【図５】
2008164681.tif 000004
【図６】
2008164681.tif 000005
【図７】
2008164681.tif 000006
【図１】
2008164681.tif 000007
【図３】
2008164681.tif 000008
【図４】
2008164681.tif 000009